(57)【要約】
【課題】　解施錠の操作が簡単で、尚且つ防犯と緊急避難時の操作に適した電子錠を提供する。
【解決手段】　相対するように、外部錠箱１と内部錠箱２をドア５に設置し、ドア５内部に内部錠箱２の回転軸と連動するデッドボルト３とラッチボルト４を設ける。両錠箱１，２のカバー１０，２０上にはハンドル１１、２１を設けて内部の回転軸と連動させる。内部錠箱２の回転軸一端には第二回転軸２８を設け、外部錠箱１の回転軸１３上にはカム軸スリーブ１６を設ける。制御装置及び回転リングによりカム軸スリーブ１６が固定されるか、前進して第二回転軸２８と連結されることにより、室内外を問わず、ハンドル１１，２１の操作により、ドア５の開け閉めが可能となる。
【選択図】　　図６
0003099000.tif 000002
【実用新案登録請求の範囲】
【請求項１】
　外部錠箱と内部錠箱を含む電子錠において、
　上記外部錠箱は、カバーとハンドルを含み、該カバー内部には回転軸と制御装置が設けられており、該制御装置はモーターと歯車とストッパー塊と電気回路装置を含み、該回転軸の一端はハンドルと連結されて連動し、もう一端は、スプリングが嵌入されており、中央には貫通した軸孔を具有するカム軸スリーブが嵌入されており、該カム軸スリーブと回転軸は連動し、該カム軸スリーブ外側には制止縁が設けられており、該制止縁は斜面状を呈しており、ストッパー塊に制止縁が沿うことによってカム軸スリーブの位置が定められ、該電気回路装置は電子信号を受信してモーターを起動して、歯車を回転させ、ストッパー塊を上下に作動することによってカム軸スリーブが前進及び後退し、
　上記内部錠箱は、カバーとハンドルを含み、該カバー内部には連動構造と回転軸が設けられており、二者は連結され、該回転軸の一端はハンドルと連結されて連動し、もう一端は、第二回転軸が嵌入しており、該第二回転軸は、上述の外部錠箱のカム軸スリーブが前進状態の時に結合して連動し、
　上述の外部錠箱と内部錠箱は、外部錠箱はドアの外側に、内部錠箱はドアの内側に、お互い相対するように設置され、ドアの内部にはデッドボルトとラッチボルトが設けられており、該デッドボルトと連動部は連結されて連動し、該ラッチボルトは第二回転軸と連結されて連動し、
　内部錠箱のハンドルを操作することによってデッドボルトとラッチボルトがドアの中へ出し入れされ、それによりドアの開閉ができ、
　外部錠箱のカム軸スリーブと第二回転軸が連結状態の場合でも外部錠箱のハンドルによる、ドアの開け閉めが可能としたことを特徴とする電子錠。
【請求項２】
上記外部錠箱のカム軸スリーブの外縁には回転リングが設けられており、該回転リング上には少なくとも二つの突起柱が設けられており、外側には凸縁部が伸びており、カム軸スリーブの端面には凸塊が設けられており、
内部錠箱の第二回転軸は外側に伸びており、更に末端部は片体を形成しており、片体の外表面には、外部錠箱のカム軸スリーブの凸塊の位置に対応する位置に凹槽が設けられており、前進時のカム軸カバーと接合し、片体外表面には、回転リングの突起柱の位置に対応する位置に溝槽が設けられており、回転リングの突起柱と接合し、第二回転軸を回転リングと連動させていることを特徴とする請求項１記載の電子錠。
【請求項３】
　上記外部錠箱と内部錠箱のハンドルと回転軸との間には、それぞれスプリングが設けられており、下上回動したハンドルは直ちに定位置に復帰されることを特徴とする請求項１記載の電子錠。
【請求項４】
　上記外部錠箱のカバー上には、カバー内部の電気回路装置と連結されたコントロールパネルが設けられており、該コントロールパネルはランプとテンキーを具有し、使用者は正しい番号を入力することによって解錠可能とし、ケース内には警報装置が設けられていることを特徴とする請求項１記載の電子錠。
【請求項５】
　上記外部錠箱は鍵部品を含み、該鍵部品の鍵穴はカバーの側部に設置されており、鍵穴の後部は突起片を具有する鍵軸に連結されており、該鍵軸には感応片が設けられており、鍵で鍵穴を回した場合、感応片が警報装置に触れる構造になっており、
　制御装置はスプリングを具有するドローバーと、固定棒を具有する蓋が設けられており、ドローバーの一端は鍵軸突起片に嵌入しており、もう一端はストッパー塊と連結されており、
　鍵で鍵穴を回した場合、鍵軸突起片が回転し、ドローバーが引かれ、それに連れてストッパー塊は上に移動することでカム軸スリーブの制止縁から外れ、カム軸スリーブは前進し、内部錠箱の第二回転軸に嵌入することを特徴とする請求項１或いは２記載の電子錠。
【請求項６】
　上記内部錠箱回転軸の第二回転軸が嵌入する一端は円形を呈しており、中心には軸孔が設けられており第二回転軸が嵌入される構造になっていることを特徴とする請求項１記載の電子錠。
【請求項７】
　上記内部錠箱回転軸の第二回転軸が嵌入する一端の中心に設けられている軸孔にはスプリングが設けられており、その上から第二回転軸が嵌入されていることを特徴とする請求項１或いは６記載の電子錠。
【請求項８】
　内部錠箱回転軸の第二回転軸が嵌入する一端の端面には連動部が設けられており、連動構造と連結されており、該連動構造は、内部ドローバーと軸座、及び一端はデッドボルトと、もう一端は軸座と連結されている軸体、により構成されており、該内部ドローバーの一端は上述の連動部と、もう一端は該軸座と連結されていることを特徴とする請求項１或いは６記載の電子錠。
【請求項９】
　上記軸座の両端にはそれぞれアームが設置されており、一つのアームは内部ドローバーと連結されており、
　軸座の隣には引っ掛け座が設けられており、該引っ掛け座にはスプリングが設けられており、該スプリングのもう一端は軸座のもう一つのアームと連結されており、
　以上の装置により、内部錠箱、及び外部錠箱のハンドルを上下回動した後、定位置に復帰する際の反発力を弱めるようにしてなることを特徴とする請求項８記載の電子錠。
【考案の詳細な説明】
【技術分野】
【０００１】
本考案は、電子錠に係り、特に外部錠箱と内部錠箱がドアの外側と内側でお互いに相対するように設置されており、ドア内部のデッドボルトとラッチボルトが連結された、カム軸スリーブクラッチを具有する、玄関ドアや錠が必要な場所に非常に適する電子錠に関わる。
【背景技術】
【０００２】
従来の電子錠は、電子装置が故障したり、電源が無くなったりして正しく操作が出来なくなった時のために、鍵穴が設けられており、鍵による解錠ができ、施錠時は電子装置を通じて番号を入力するか、鍵によって施錠するものが多い。
【考案の開示】
【考案が解決しようとする課題】
【０００３】
　　しかしながら、以上の従来技術によれば、火災や地震などの緊急事態が発生し、屋外に避難する時、電子錠を解除するか、手動でデッドボルトを解除しなければ、ドアを開けることができなく、避難時に余計な時間が掛かってしまうことがあった。
そこで本考案は、上記欠点を改善すべく、解施錠の操作が簡単で、尚且つ防犯と避難時の事も考慮された電子錠を提供することを課題とする。
【課題を解決するための手段】
【０００４】
　上記課題を解決するために、請求項１の電子錠は、外部錠箱と内部錠箱を含む電子錠において、上記外部錠箱は、カバーとハンドルを含み、該カバー内部には回転軸と制御装置が設けられており、該制御装置はモーターと歯車とストッパー塊と電気回路装置を含み、該回転軸の一端はハンドルと連結されているので連動し、もう一端は、スプリングが嵌入されており、中央には貫通した軸孔を具有するカム軸スリーブが嵌入されており、該カム軸スリーブと回転軸は連動し、該カム軸スリーブ外側には制止縁が設けられており、該制止縁は斜面状を呈しており、ストッパー塊に制止縁が沿うことでカム軸スリーブの位置が定められ、該電気回路装置は電子信号を受信し、それによりモーターが動き、歯車が回転し、ストッパー塊が上下に動くことでカム軸スリーブが前進及び後退し、上記内部錠箱は、カバーとハンドルを含み、該カバー内部には連動構造と回転軸が設けられており、二者は繋がっており、該回転軸の一端は、ハンドルと連結されているので連動し、もう一端は、第二回転軸が嵌入しており、該第二回転軸は、上述の外部錠箱のカム軸スリーブが前進状態の時に接合され、連動し、上述の外部錠箱と内部錠箱をドアに設置する時、外部錠箱はドアの外側に、内部錠箱はドアの内側に、お互い相対するように設置されており、ドアの内部にはデッドボルトとラッチボルトが設けられており、該デッドボルトと連動部は連結されているので連動し、該ラッチボルトは第二回転軸と連結されているので連動し、内部錠箱のハンドルを操作することでデッドボルトとラッチボルトがドアの中へ出し入れされ、それによりドアの開け閉めができ、外部錠箱のカム軸スリーブと第二回転軸が接合状態の時も、外部錠箱のハンドルによる、ドアの開け閉めが可能なことを特徴とする電子錠である。
　請求項２の電子錠は、上記外部錠箱のカム軸スリーブの外縁には回転リングが設けられており、該回転リング上には少なくとも二つの突起柱が設けられており、外側には凸縁部が伸びており、カム軸スリーブの端面には凸塊が設けられており、
内部錠箱の第二回転軸は外側に伸びており、更に末端部は片体を形成しており、片体の外表面には、外部錠箱のカム軸スリーブの凸塊の位置に対応する位置に凹槽が設けられており、前進時のカム軸カバーと接合し、片体外表面には、回転リングの突起柱の位置に対応する位置に溝槽が設けられており、回転リングの突起柱と接合し、第二回転軸を回転リングと連動させることを特徴とする請求項１記載の電子錠である。
　請求項３の電子錠は、上記外部錠箱と内部錠箱のハンドルと回転軸との間には、それぞれスプリングが設けられており、下げたり、上げたりしたハンドルはすぐに定位置に戻ることを特徴とする請求項１記載の電子錠である。
　請求項４の電子錠は、上記外部錠箱のカバー上には、カバー内部の電気回路装置と連結されたコントロールパネルが設けられており、該コントロールパネルはランプとテンキーを具有し、使用者は正しい番号を入力することで解錠でき、ケース内には警報装置が設けられていることを特徴とする請求項１記載の電子錠である。
　請求項５の電子錠は、上記外部錠箱は鍵部品を含み、該鍵部品の鍵穴はカバーの側部に設置されており、鍵穴の後部は突起片を具有する鍵軸に連結されており、該鍵軸には感応片が設けられており、鍵で鍵穴を回した場合、感応片が警報装置に触れる構造になっており、制御装置はスプリングを具有するドローバーと、固定棒を具有する蓋が設けられており、ドローバーの一端は鍵軸突起片に嵌入しており、もう一端はストッパー塊と連結されており、鍵で鍵穴を回した場合、鍵軸突起片が回転し、ドローバーが引かれ、それに連れてストッパー塊は上に移動することでカム軸スリーブの制止縁から外れ、カム軸スリーブは前進し、内部錠箱の第二回転軸に嵌入することを特徴とする請求項１或いは２記載の電子錠である。
　請求項６の電子錠は、上記内部錠箱回転軸の第二回転軸が嵌入する一端は円形を呈しており、中心には軸孔が設けられており第二回転軸が嵌入される構造になっていることを特徴とする請求項１記載の電子錠である。
　請求項７の電子錠は、上記内部錠箱回転軸の第二回転軸が嵌入する一端の中心に設けられている軸孔にはスプリングが設けられており、その上から第二回転軸が嵌入されていることを特徴とする請求項１或いは６記載の電子錠である。
　請求項８の電子錠は、内部錠箱回転軸の第二回転軸が嵌入する一端の端面には連動部が設けられており、連動構造と連結されており、該連動構造は、内部ドローバーと軸座、及び一端はデッドボルトと、もう一端は軸座と連結されている軸体、により構成されており、該内部ドローバーの一端は上述の連動部と、もう一端は該軸座と連結されていることを特徴とする請求項１或いは６記載の電子錠である。
　請求項９の電子錠は、上記軸座の両端にはそれぞれアームが設置されており、一つのアームは内部ドローバーと連結されており、軸座の隣には引っ掛け座が設けられており、該引っ掛け座にはスプリングが設けられており、該スプリングのもう一端は軸座のもう一つのアームと連結されており、以上の装置により、内部錠箱、及び外部錠箱のハンドルを持ち上げたり、下げたりした後、定位置に戻るとき発生する反発力を弱めることができることを特徴とする請求項８記載の電子錠である。
【考案の効果】
【０００５】
　本考案によれば以下に示す効果が得られる。
　１．本考案はデッドボルトとラッチボルトが直接或いは間接的に内部錠箱の回転軸と連動するので、如何なる状況においても、内部錠箱のハンドルを直接下げればドアが開く構造になっているので、緊急な時でも素早くドアを開けることができ、安全度が増す。
　２．本考案は施錠状態でない時、内部錠箱の回転軸と外部錠箱の回転軸は連結状態になっており、外出時、鍵を掛ける必要がなく、ハンドルを持ち上げるだけで施錠されるので、便利である。
　３．本考案は警報装置を設置することが可能で、不正な方法で開けようとした場合、警報が作動するので、防犯の効果がある。
　４．本考案はハンドルが定位置に戻る時の反発力を弱める装置が設けられており、錠の寿命を延ばすことができる。
　５．本考案の外部錠箱のコントロールパネル上にはランプとテンキーが設けられており、使用者は正しい番号を入力することで解錠ができ、設定した回数以上、番号の入力を誤ると、一定時間警報が鳴り、更にランプが点灯するので、防犯の効果があ　　　　　る。
　６．本考案の内部錠箱には指示盤が設けられており、色、又は番号によってデッドボルトの状態を示し、使用者は目により錠の状態が確認でき便利である。
【考案を実施するための最良の形態】
【０００６】
　　本考案の実施例を図に沿って説明する。
　　図１に示すように、本考案は主に外部錠箱１と、内部錠箱２と、デッドボルト３とラッチボルト４から構成され、ドア５に設置される。
【０００７】
　図２に示すように、上記外部錠箱１は、カバー１０とハンドル１１を含み、該カバー１０外部の側面には鍵を差し込む鍵穴１２１を具有する鍵部品１２が貫通しており、その後方は鍵軸１２２と連結しており、該鍵軸１２２の中段には鍵軸突起片１２３が設けられている。
　カバー１０内部には回転軸１３と制御装置８０が設けられており、ハンドル１１は内部の回転軸１３を回転させ、該回転軸１３とハンドルの中間にはハンドル１１を定位置に戻すスプリング１４が設けられており、該回転軸１３の前後は直径の異なる四角柱を呈しており、二つの直径の異なる段状面から外に向かって盆体１３１が伸びており、直径の大きい方の一端はハンドルと連結されており、直径の小さい方の一端上には突起柱１３３が設けられており、該一端にはスプリング１５とカム軸スリーブ１６とカム軸スリーブの外縁に回転リング１７が設けられており、該カム軸スリーブ１６の中央には貫通した軸孔１６１が設けられており、回転軸１３を嵌入することで連動する。
　回転リング１７と軸孔１６１の両隣にはそれぞれ凸塊１６２、１６４が設けられており、カム軸スリーブ１６外側には斜面状の制止縁１６３が設けられており、制御装置８０と接しているので、カム軸スリーブ１６を前後に移動させる。
　該回転リング１７上には突起柱１７１、１７２が設けられており、外側に向かって凸縁部１７３が伸びており、回転軸１３に設けられた盆体１３１には前述のスプリング１５とカム軸スリーブ１６と回転リングが接している。
　該外部錠箱１の外部にはコントロールパネル７（図１参照）が設けられており、少なくとも一つのランプ７１とテンキー７２が設けられている。
【０００８】
　図３，４に示すように、上記制御装置８０は、電気回路装置８０１とモーター８１と歯車８２とストッパー塊８３とドローバー８８と蓋８５により構成されており、該モーター８１は渦巻き（ウオーム）軸８１２を具有しており、歯車８２と嵌合している。
　該歯車８２の一面には凹槽が設けられており、カバー１０上突起塊により固定されており、歯車８２のもう一面には偏心突起塊８２１が設けられており、該偏心突起塊８２１はストッパー塊８３に設けられている凹槽８３１に嵌入しており、該ストッパー塊８３上方には固定槽８３２が設けられており、一端には片体８６、もう一端には固定塊８７が設けられており、スプリング８８１が嵌入されているドローバー８８がストッパー塊８３上に設置されており、固定棒８９を設ける蓋８５がカバー内に設置されており、ストッパー塊８３はカム軸スリーブ１６の制止縁１６３と接している。
【０００９】
　図４に示すように、蓋８５の外側に伸びたドローバー８８は鍵部品１２の鍵軸突起片１２３に嵌入しており、鍵により鍵部品１２を回転させ、それにより鍵軸突起片１２３がドローバー８８を上昇させ、ストッパー塊８３がカム軸スリーブの制止縁１６３から離れ、カム軸スリーブを前進させる。
　或いは、鍵軸１２２の上方にある電気回路装置８０１が使用者によってコントロールパネル７のテンキー７２、或いはリモコン（図未表示）から入力された信号を受信し、モーター８１を回転させ、ストッパー塊８３がカム軸スリーブの制止縁１６３から離れ、カム軸スリーブ１６を前進させる。
【００１０】
　図５に示すように、上記内部錠箱２は外部錠箱１のカバー１０の大きさに相対するよう設置されており、カバー２０と、ハンドル２１と、該カバー内部の回転軸２２と、デッドボルトと連動する十字軸体２３と、軸体２３が嵌入している軸座２４と、内部ドローバー２５により構成される連動構造と、
　により構成されている。
　該ハンドル２１は回転軸２２を回転させ、該回転軸２２の一端は四角柱を呈しており、該ハンドル２１と回転軸２２の間にはハンドル２１を定位置に戻すスプリング２６が設けられており、該回転軸２２のもう一端は円形を呈しており、その中心には軸孔２２１が設けられており、該軸孔２２１内部にはスプリング２７が嵌入されており、更に第二回転軸２８の一端が嵌入されており、該第二回転軸２８のもう一端は外側に向かって伸びており、末端部は片体２８２を形成しており、片体２８２の外表面には凹槽２８３が設けられており、前進時のカム軸スリーブの凸塊１６２，１６４が嵌入している。
　該凹槽２８３の中心には孔２８１が設けられており、外部錠箱の回転軸端面の突起柱１３３が嵌入しており、該片体２８２の外表面には回転リングの突起柱１７１，１７２に対応する溝槽２８５が設けられており、回転リングの突起柱１７１，１７２が接合されており、第二回転軸２８を回転リング１７と連動させている。
　該回転軸２２の軸孔２２１端面には内部ドローバー２５を動かす連動部２２２が設けられており、該連動部２２２は突起柱形を呈しており、該内部ドローバー２５のもう一端には長溝２５１が設けられており、該軸座２４の両辺にはそれぞれアーム２４１，２４２が設けられており、両アーム２４１、２４２の末端部にはそれぞれ突起柱２４３，２４４が設けられている。
　内部錠箱２のケース２０の軸座２４に近い所には引っ掛け座２９が設けられており、該引っ掛け座２９にはスプリング２９１が嵌入されており、該スプリング２９１のもう一端は軸座２４に設けられたアーム２４１上の突起柱２４３に嵌入されている。
　内部ドローバー２５の長溝２５１は軸座２４のアーム２４２上の突起柱２４４が嵌入されており、軸座はカバー２０の貫通孔に連結されており、軸座２４の中心には十字孔２４５が設けられており、該十字孔２４５はカバー２０内外に貫通しており、内部の一端は十字軸体２３と、外部の一端は指示盤２４６と嵌入しており、指示盤２４６の色で施錠状態か解錠状態かが判別できるようになっている。
【００１１】
　図６に示すように、本考案をドア５に設置する時、デッドボルト３とラッチボルト４を合わせて設置し、内部錠箱２はドア５の内側、外部錠箱１はドア５の外側の、相対する位置に設置する。
　該デッドボルト３上には十字孔（図未表示）が設けられており、内部錠箱の軸体２３に嵌入しているので連動し、ラッチボルト４は第二回転軸２８に垂直に嵌入しているので連動し、それ故に内部錠箱のハンドル２１を操作することでデッドボルト３とラッチボルト４の出し入れが可能で、ドアの開け閉めができる。
　外部錠箱のカム軸スリーブ１６と内部錠箱の第二回転軸２８が連結状態の時、外部錠箱のハンドル１１でもデッドボルト３とラッチボルト４の操作ができ、ドアの開け閉めが可能である。
【００１２】
　図７、８に示すように、外部錠箱のカム軸スリーブ１６と内部錠箱の第二回転軸２８が嵌合状態である時、制御装置のストッパー塊８３はまだカム軸スリーブの制止縁に接していないので、カム軸スリーブ１６は前進し、その端面上の凸塊１６２，１６４は第二回転軸２８片体２８２の凹槽２８３内に嵌入し、回転軸２２の軸孔２２１のスプリング２７もまた第二回転軸２８の一端を留める。この状態のもとでは、室内、室外を問わず、ハンドル１１，２１を下げればドア５は開き、ハンドル１１，２１を持ち上げれば施錠される。
【００１３】
　更に詳しい動作の説明を下記にしめす。
　図９、１０、１１、１２に示すように、ハンドル１１、２１を持ち上げ、第二回転軸２８を回転させることで軸体２３が連動し、それによりデッドボルトがドア５から外に出て、同時に第二回転軸２８がカム軸スリーブ１６を回転させ、カム軸スリーブ１６の制止縁１６３の斜面の最低部が制御装置のストッパー塊８３の前まで回転した時、障害物が無くなるため、ストッパー８３は下向きに飛び出す。
　手をハンドル１１，２１から放し、カム軸スリーブ１６が定位置に戻る時、ストッパー塊８３は制止縁の斜面に沿って、カム軸スリーブを押さえ、後退させ、第二回転軸２８とカム軸スリーブ１６を分離状態にする。この状態の下では、室外においてはハンドル１１をいくら操作してもドア５は開かないが、室内においてはハンドル２１を下げればドア５が開く。
　図１３に示すように、この時ハンドル２１は回転リング１７上の制止縁１７３を回転させ、ストッパー塊を上に跳ね上げ、カム軸スリーブ１６は前進し、第二回転軸に嵌入する。
【００１４】
　図１４，１５，１６に示すように、ハンドル１１，２１を持ち上げたり、下げたりした後、ハンドル１１．２１が定位置に戻る時発生する反発力によりハンドル１１，２１が破損するのを防ぐため、内部錠箱２のカバー２０の軸座２４に近いところに引っ掛け座２９が設けられており、該引っ掛け座２９にはスプリング２９１が設けられており、該スプリング２９１のもう一端は軸座に嵌入しており、それによりハンドル１１，２１に掛かる反発力を減少させることができる。
【００１５】
　鍵を鍵穴１２１に差込み、鍵部品１２を回転させることによってでも、ストッパー塊８３が持ち上がり、カム軸スリーブ１６と分離し、カム軸スリーブ１６が前進し、第二回転軸２８に嵌入し、ドアを開けることができる。
【００１６】
　図４に示すように、防犯の為に外部錠箱内の電気回路装置８０１上には警報装置が設けられており、同時に鍵部品１２後方の鍵軸１２２には感応片１２４が設けられており、鍵を鍵穴１２１に入れ、鍵部品１２を回転させた時、鍵軸１２２上の感応片１２４が警報装置１８に触れ、警報が鳴る。この警報を解除するには正しい番号を入力する必要がある。
【００１７】
　室外から番号を入力する時、設定した回数以上、番号の入力を誤ると、警報が鳴り、同時にコントロールパネル上のランプが点灯し、そのランプは使用者が解除するまで点灯し続ける。
【図面の簡単な説明】
【００１８】
【図１】本考案の実施例における内部錠箱と外部錠箱をドアに設置した時の外観図である。
【図２】本考案における外部錠箱の立体分解図である。
【図３】本考案における制御装置の立体分解図である。
【図４】外部錠箱を組み立てた後の立体外観図である。
【図５】本考案における内部錠箱の立体分解図である。
【図６】内部錠箱と外部錠箱をドアに設置した時の局部断面図である。
【図７】施錠されていない時の内部錠箱と外部錠箱における結合動作を示した図である。
【図８】図７における側面からの断面図である。
【図９】レバーを持ち上げた時の内部錠箱と外部錠箱における分離動作を示した図である。
【図１０】図９における側面からの断面図である。
【図１１】図９におけるレバーを持ち上げた後の内部錠箱と外部錠箱の状態を示した図である。
【図１２】図１１における側面からの断面図である。
【図１３】レバーを下げた時の内部錠箱と外部錠箱における動作を示した図である。
【図１４】レバーを持ち上げた時の内部錠箱内のスプリングと軸座の動作を示した図である。
【図１５】レバーを更に持ち上げた時の内部錠箱内のスプリングと軸座の動作を示した図である。
【図１６】レバーを下げた時の内部錠箱内のスプリングと軸座の動作を示した図である。
【符号の説明】
【００１９】
１　　　外部錠箱
１０　　カバー
１１　　ハンドル
１１１　リング
１２　　鍵部品
１２１　鍵穴
１２２　鍵軸
１２３　鍵軸突起片
１２４　感応片
１３　　回転軸
１３１　盆体
１３３　突起柱
１４　　スプリング
１５　　スプリング
１６　　カム軸スリーブ
１６１　軸孔
１６２　凸塊
１６３　制止縁
１６４　凸塊
１７　　回転リング
１７１　突起柱
１７２　突起柱
１７３　凸縁部
１８　　警報装置
８０　　制御装置
８０１　電気回路装置
８１　　モーター
８１２　渦巻き軸
８２　　歯車
８２１　偏心突起塊
８３　　ストッパー塊
８３１　凹槽
８３２　固定槽
８４　　ドローバー
８５　　蓋
８６　　ドローバー片体
８７　　固定塊
８８　　ドローバー
８８１　スプリング
８９　　固定棒
２　　　内部錠箱
２０　　カバー
２１　　ハンドル
２１１　リング
２２　　回転軸
２２１　軸孔
２２２　連動部
２２３　貫通孔
２３　　軸体（十字軸）
２４　　軸座
２４１　アーム
２４２　アーム
２４３　突起柱
２４４　突起柱
２４５　十字孔
２４６　指示盤
２５　　内部ドローバー
２５１　長槽
２６　　スプリング
２７　　スプリング
２８　　第二回転軸
２８１　孔
２８２　片体
２８３　凹槽
２８４　溝槽
２８５　溝槽
２９　　引っ掛け座
２９１　スプリング
３　　　デッドポルト
４　　　ラッチボルト
５　　　ドア
７　　　コントロールパネル
７１　　ランプ
７２　　テンキー
【図１】
0003099000.tif 000003
【図２】
0003099000.tif 000004
【図３】
0003099000.tif 000005
【図４】
0003099000.tif 000006
【図５】
0003099000.tif 000007
【図６】
0003099000.tif 000008
【図７】
0003099000.tif 000009
【図８】
0003099000.tif 000010
【図９】
0003099000.tif 000011
【図１０】
0003099000.tif 000012
【図１１】
0003099000.tif 000013
【図１２】
0003099000.tif 000014
【図１３】
0003099000.tif 000015
【図１４】
0003099000.tif 000016
【図１５】
0003099000.tif 000017
【図１６】
0003099000.tif 000018